(57)【要約】【課題】ＩＤカードの作成において、低コストで簡便且つ更に確実にＩＤカードのＩＣメモリに書き込まれた電子データと券面に印画された内容とが一致するか否かを判別し、ＩＣメモリのデータと券面の内容が正確なＩＤカードを迅速に作成することにある。【解決手段】  入力された電子データを記憶する記憶手段と、非接触型のＩＣカードからなるＩＤカードの券面に画像を印画する印画手段と、この電子データに含まれるＩＤ番号データをＩＤカードのＩＣメモリに書き込むデータ書込み手段とを備えたＩＤカード作成装置において、ＩＣメモリに書き込んだＩＤ番号データの読出しを行うデータ読出し手段と、読み出されたＩＤ番号データと記憶手段に記憶された電子データに含まれるＩＤ番号データとが一致するか否かを比較し、一致しない場合に、ＩＤカード作成装置の駆動を停止する。【選択図】図８
2007038534.tif 000002
【特許請求の範囲】
【請求項１】
入力された電子データを記憶する記憶手段と、該電子データに基づき、電子情報を記憶するメモリが内蔵されたＩＤカードの券面に画像を印画する印画手段と、前記電子データに含まれる所定のデータを前記メモリに書き込むデータ書込み手段とを備えたＩＤカード作成装置において、
前記メモリに書き込まれた前記所定のデータの読出しを行うデータ読出し手段と、
該データ読出し手段により読み出された前記所定のデータと、前記記憶手段に記憶された前記電子データに含まれる所定のデータとが一致するか否かを比較するデータ比較手段と、
前記データ比較手段の比較の結果、一致しない場合に、前記ＩＤカード作成装置の駆動を停止する制御手段とを備えることを特徴とするＩＤカード作成装置。
【請求項２】
請求項１に記載のＩＤカード作成装置において、
前記読出し手段が読み出した前記所定のデータと、前記記憶手段に記憶された前記電子データに含まれる所定のデータとが一致しない旨を警告する警告手段を更に備え、
前記制御手段は、前記比較手段の比較の結果一致しない場合に、前記警告手段に警告させるとともに前記ＩＤカード作成装置の駆動を停止することを特徴とするＩＤカード作成装置。
【請求項３】
請求項１又は２に記載のＩＤカード作成装置において、
前記記憶手段は、前記電子データ及び該電子データの前記メモリへの書込み順を対応付けて管理するバッファテーブルと、前記書込み手段で現在書込み処理が行われている前記所定のデータを前記書込み順に基づいて管理するプリント管理テーブル及び前記読出し手段から読み出された前記所定のデータを記憶する確認用データ記憶手段が設けられ、
前記データ比較手段は、前記確認用データ記憶手段に記憶された前記所定のデータと、前記プリント管理テーブルを介して前記バッファテーブルに記憶された前記所定のデータとが一致するか否かを比較することを特徴とするＩＤカード作成装置。
【請求項４】
請求項１〜３のいずれか一項に記載のＩＤカード作成装置において、
前記所定のデータは、ＩＤ番号データであることを特徴とするＩＤカード作成装置。
【請求項５】
入力された電子データに基づき、電子情報を記憶するメモリが内蔵されたＩＤカードの券面に画像を印画する印画手段と、前記画像の画像データに含まれる所定のデータを前記メモリに書き込むデータ書込み手段とを備えたＩＤカード作成装置において、
前記データ書込み手段が前記メモリに前記所定のデータを書き込む際、該所定のデータの複製データを生成するとともに該複製データを記憶する確認用データ記憶手段に記憶させるデータ複製手段と、
前記ＩＤカードのメモリに書き込まれた前記所定のデータの読出しを行うデータ読出し手段と、
該データ読出し手段により読み出された前記所定のデータと前記確認用データ記憶手段に記憶された前記所定のデータとが一致するか否かを比較するデータ比較手段と、
前記比較手段の比較の結果、一致しない場合に、前記ＩＤカード作成装置の駆動を停止する制御手段とを備えることを特徴とするＩＤカード作成装置。
【請求項６】
請求項５に記載のＩＤカード作成装置において、
前記ＩＤカードのメモリから読み出した前記所定のデータと前記確認用データ記憶手段に記憶された前記所定のデータとが一致しない旨を警告する警告手段を更に備え、
前記制御手段は、前記比較手段の比較の結果一致しない場合に、前記警告手段に警告させるとともに前記ＩＤカード作成装置の駆動を停止することを特徴とするＩＤカード作成装置。
【請求項７】
請求項５又は６に記載のＩＤカード作成装置において、
前記所定のデータは、ＩＤ番号データであることを特徴とするＩＤカード作成装置。
【請求項８】
入力された電子データを記憶手段に記憶し、該電子データに基づいて、電子情報を記憶するメモリを内蔵したＩＤカードの券面に画像を印画するととともに、前記メモリに、前記電子データに含まれる所定のデータの書込みを行うＩＤカードの作成方法において、
前記ＩＤカードのメモリに書き込まれた前記所定のデータを読出し、
読み出した前記所定のデータと、前記記憶手段に記憶された前記電子データに含まれる前記所定のデータとが一致するか否かを比較し、
前記比較の結果、一致しない場合に、前記ＩＤカードの作成を停止することを特徴とするＩＤカード作成方法。
【請求項９】
請求項８に記載のＩＤカード作成方法において、
前記ＩＤカードのメモリから読み出した前記所定のデータと、前記電子データに含まれる所定のデータとが一致しない場合、前記ＩＤカードの作成を停止するとともに警告を発することを特徴とするＩＤカード作成方法。
【請求項１０】
請求項８又は９に記載のＩＤカード作成方法において、
前記記憶手段は、前記電子データ及び該電子データの前記メモリへの書込み順を対応付けて管理するバッファテーブルと、前記書込み手段で現在書込み処理が行われている前記所定のデータを前記書込み順に基づいて管理するプリント管理テーブル及び前記読出し手段から読み出された前記所定のデータを記憶する確認用データ記憶手段が設けられ、
前記ＩＤカードのメモリから読み出した前記所定のデータと、前記電子データに含まれる所定のデータとが一致する否かを比較する際、前記プリント管理テーブルを参照して前記バッファテーブルに記憶された前記所定のデータを読出し、前記確認用データ記憶手段に記憶された前記所定のデータと読出して両データが一致するか否かを比較することを特徴とするＩＤカード作成方法。
【請求項１１】
請求項８〜１０のいずれか一項に記載のＩＤカード作成方法において、
前記電子データは、ＩＤ番号データであることを特徴とするＩＤカード作成方法。
【請求項１２】
入力された電子データを記憶手段に記憶し、該電子データに基づいて電子情報を記憶するメモリを内蔵したＩＤカードの券面に画像を印画するとともに、前記メモリに、前記電子データに含まれる所定のデータの書込みを行うＩＤカードの作成方法において、
前記所定のデータを前記メモリに書き込む際、該所定データの複製データを生成して前記記憶手段に記憶し、
前記ＩＤカードのメモリに書き込まれた前記所定のデータを読み出し、
読み出された前記所定のデータと前記記憶手段に記憶した前記所定のデータの複製データとが一致するか否かを比較し、
比較の結果一致しない場合に、前記ＩＤカードの作成を停止することを特徴とするＩＤカード作成方法。
【請求項１３】
請求項１２に記載のＩＤカード作成方法において、
前記ＩＤカードのメモリから読み出した前記所定のデータと前記複製データとの比較の結果一致しない場合、前記ＩＤカードの作成を停止するとともに警告を発することを特徴とするＩＤカード作成方法。
【請求項１４】
請求項１２又は１３に記載のＩＤカード作成方法において、
前記所定のデータは、ＩＤ番号データであることを特徴とするＩＤカード作成方法。
【発明の詳細な説明】
【技術分野】
【０００１】
本発明はＩＤカード作成装置及びＩＤカード作成方法に係り、特に、ＩＣメモリを内蔵したＩＤカードにおいて、ＩＣカード内の情報が正確に記憶されているかを検出するＩＤカード作成装置及びＩＤカード作成方法に関する。
【背景技術】
【０００２】
近年、顔写真入りの従業者証、社員証、会員証、学生証、キャッシュカード、身分証明証、外国人登録証、パスポート及び各種運転免許証等のいわゆるＩＤカードに、ＩＣ（Integrated circuit）メモリを搭載して個人情報等（氏名、住所、生年月日、ＩＤカードの交付年月日及びＩＤカードの有効期限等）を記憶させ、カード券面の印画情報と電子データとを合わせ持つＩＤカードが多くなっている。従来から、磁気部を設けてＩＤ番号等の電子データを記憶するカードが復旧しているが、磁気カードに比してＩＣメモリ搭載型のＩＤカードは記憶できるデータ量が多く、個人情報の暗号化や電子情報の読取り及び書込みに際しＲ／Ｗ（Ｒｅａｄ／Ｗｒｉｔｅ）装置との摩擦による損傷もほとんどないといった利点を有する。このようなＩＣメモリ搭載のＩＤカードの急速な普及に応じ、大量且つ迅速な処理を可能とするＩＤカード作成装置の研究開発も盛んに行われている。
【０００３】
一般にＩＣメモリ搭載型ＩＤカード作成装置は、以下のように構成される。即ち、ＩＣカードは、粘着シートを介して何ら情報が記憶されていない薄いＩＣメモリをインレーシーに設け、このインレットシートを２枚のオーバーレイシートで狭持する。このＩＣカードを搬送ベルトの上に載置して、搬送ベルトの搬送方向に沿ってその上部に設けられる画像形成ユニットにて、定位置に搬送されたＩＣカードの券面に申請者の顔画像や文字情報（氏名、住所、カード番号等）が印画される。
カラーの印画を行うＩＤカード作成装置であれば、画像形成ユニットはＹ（イエロー）、Ｍ（マゼンタ）、Ｃ（シアン）及びＫ（ブラック）の各色の印刷を夫々行う４つの画像形成ユニットから形成される。これらの画像形成ユニットで印刷される画像の画像データは、データ入力や各種の操作指示を入力する操作部（一般にコンピュータ装置及び制御プログラムから構成される）から入力されるものである。ＩＤカード券面に画像を印画した後に、データ書込み装置にてその画像と対応する電子データをＩＣメモリに書き込む処理が行われる。電子情報の書込みは、記憶させるべき電子データを搬送ベルトに載置した順番に管理する管理テーブルに基づいて行われる。
【０００４】
このように、ＩＣメモリに書き込まれる電子データは、ＩＣカード券面の印画データと対応付けて即ちＩＣカードが搬送ベルトに載置された順番に管理されるわけであるが、この対応関係がずれると、印画された画像の内容とＩＣメモリに記憶される電子データの内容が一致しないという問題がある。例えば、画像形成ユニットで券面に印画を行う画像データを仮にＡ、Ｂ、Ｃ及びＤとする。印画が施されたＩＣカードのＩＣメモリに記憶させる夫々の電子データを仮にａ、ｂ、ｃ及びｄとする。データ書込み装置では、Ａの画像が印画され且つ先頭で搬送されるＩＣカードにａを記憶させ、同様にＢの画像が印画されたＩＣカードに２番目に搬送されるｂを記憶させ、以下同様にＣにはｃ、Ｄにはｄを記憶させる。ところが、制御プログラムのバグ等によるデータ破壊や過電流による短絡等の外的要因あるいは上述したＩＤカードの作成工程の途中で発見された不良カードの抜き取り忘れ等の人為的要因により、画像データと電子データと対応がずれると、Ｂの画像が印画されたＩＣカードにａの電子情報が書き込まれてしまう問題がある。以上の問題は、各種の証明に利用し得るＩＤカードでは深刻な問題である。
【０００５】
このような画像と電子データとの不一致を解決する発明として、特許文献１には、ＩＣカードのＩＤ番号及びこのＩＣカードを作成する工程においてのみ付与されるカード番号とを対応付けて管理するカード作成来歴管理テーブルと、画像形成ユニットに供給される画像データを適宜格納するバッファメモリのバッファメモリ番号及び画像データのＩＤ番号とを対応付けて管理するバッファテーブルを備え、画像形成時及び電子データの書込み時に両方のテーブルからカード番号及びバッファメモリ番号をキーとして夫々のテーブルに格納されるＩＤ番号を検出してＩＤ番号の一致するか否かを判別し、一致する場合に次の工程に移行させ、一致しない場合にカード作成処理を中断するＩＤカードの作成装置が開示されている。
【０００６】
特許文献２には、画像形成ユニットでＩＣカードの券面に画像を印画し、ＩＣメモリに電子情報の書込みを行った後、光学的読取り装置（例えば、ＯＣＲ（Optical Character Reader））にてＩＣカードの画像を読込み電子データ化し、ＩＣメモリから読み出した電子データとの比較を行い、両データが一致しない場合にそのＩＣカードのリジェクト等を行って不良カードを選別するＩＤカードの作成装置が開示されている。
【特許文献１】特開２００２−３４７３７２号公報
【特許文献２】特開２００３−９９７１８号公報
【発明の開示】
【発明が解決しようとする課題】
【０００７】
しかしながら、特許文献２に記載のＩＤカード作成装置は、印画された画像の読取りに際し、ＯＣＲ等の高額な設備投資を必要とする。更には、ＩＣメモリ内の電子データと券面の画像とを比較する手段を有さないＩＤカード作成装置にＯＣＲを追加増設する場合には、制御プロラム、制御装置及びライン変更に伴うコスト負担が大きく実用性に欠けるという問題がある。
これに対し、特許文献１に記載のＩＤカード作成装置は、ＩＣメモリに記憶させるＩＤ情報とバッファメモリ内のＩＤ情報を比較するというソフトウェア的な改良のみで画像と電子情報との内容の正確な一致判別できる点で大きな実用性がある。しかしながら、ＩＤカードのＩＣメモリに実際に記録されたデータを直接比較しているわけではなく、この点更なる改良の余地がある。
【０００８】
本発明の課題は、ＩＤカードの作成において、低コストで簡便且つ更に確実にＩＤカードのＩＣメモリに書き込まれた電子データと券面に印画された画像とが一致するか否かを判別し、ＩＣメモリのデータと券面の内容が正確なＩＤカードを作成することにある。
【課題を解決するための手段】
【０００９】
上記課題を解決するために、請求項１に記載の発明は、
入力された電子データを記憶する記憶手段と、該電子データに基づき、電子情報を記憶するメモリが内蔵されたＩＤカードの券面に画像を印画する印画手段と、前記電子データに含まれる所定のデータを前記メモリに書き込むデータ書込み手段とを備えたＩＤカード作成装置において、
前記メモリに書き込まれた前記所定のデータの読出しを行うデータ読出し手段と、
該データ読出し手段により読み出された前記所定のデータと、前記記憶手段に記憶された前記電子データに含まれる所定のデータとが一致するか否かを比較するデータ比較手段と、
前記データ比較手段の比較の結果、一致しない場合に、前記ＩＤカード作成装置の駆動を停止する制御手段とを備えることを特徴とする。
【００１０】
請求項２に記載の発明は、請求項１に記載のＩＤカード作成装置において、
前記読出し手段が読み出した前記所定のデータと、前記記憶手段に記憶された前記電子データに含まれる所定のデータとが一致しない旨を警告する警告手段を更に備え、
前記制御手段は、前記比較手段の比較の結果一致しない場合に、前記警告手段に警告させるとともに前記ＩＤカード作成装置の駆動を停止することを特徴とする。
【００１１】
請求項３に記載の発明は、請求項１又は２に記載のＩＤカード作成装置において、
前記記憶手段は、前記電子データ及び該電子データの前記メモリへの書込み順を対応付けて管理するバッファテーブルと、前記書込み手段で現在書込み処理が行われている前記所定のデータを前記書込み順に基づいて管理するプリント管理テーブル及び前記読出し手段から読み出された前記所定のデータを記憶する確認用データ記憶手段が設けられ、
前記データ比較手段は、前記確認用データ記憶手段に記憶された前記所定のデータと、前記プリント管理テーブルを介して前記バッファテーブルに記憶された前記所定のデータとが一致するか否かを比較することを特徴とする。
【００１２】
請求項４に記載の発明は、請求項１〜３のいずれか一項に記載のＩＤカード作成装置において、
前記所定のデータは、ＩＤ番号データであることを特徴とする。
【００１３】
請求項５に記載の発明は、入力された電子データに基づき、電子情報を記憶するメモリが内蔵されたＩＤカードの券面に画像を印画する印画手段と、前記画像の画像データに含まれる所定のデータを前記メモリに書き込むデータ書込み手段とを備えたＩＤカード作成装置において、
前記データ書込み手段が前記メモリに前記所定のデータを書き込む際、該所定のデータの複製データを生成するとともに該複製データを記憶する確認用データ記憶手段に記憶させるデータ複製手段と、
前記ＩＤカードのメモリに書き込まれた前記所定のデータの読出しを行うデータ読出し手段と、
該データ読出し手段により読み出された前記所定のデータと前記確認用データ記憶手段に記憶された前記所定のデータとが一致するか否かを比較するデータ比較手段と、
前記比較手段の比較の結果、一致しない場合に、前記ＩＤカード作成装置の駆動を停止する制御手段とを備えることを特徴とする。
【００１４】
請求項６に記載の発明は、請求項５に記載のＩＤカード作成装置において、
前記ＩＤカードのメモリから読み出した前記所定のデータと前記確認用データ記憶手段に記憶された前記所定のデータとが一致しない旨を警告する警告手段を更に備え、
前記制御手段は、前記比較手段の比較の結果一致しない場合に、前記警告手段に警告させるとともに前記ＩＤカード作成装置の駆動を停止することを特徴とする。
【００１５】
請求項７に記載の発明は、請求項５又は６に記載のＩＤカード作成装置において、
前記所定のデータは、ＩＤ番号データであることを特徴とする。
【００１６】
請求項８に記載の発明は、入力された電子データを記憶手段に記憶し、該電子データに基づいて、電子情報を記憶するメモリを内蔵したＩＤカードの券面に画像を印画するととともに、前記メモリに、前記電子データに含まれる所定のデータの書込みを行うＩＤカードの作成方法において、
前記ＩＤカードのメモリに書き込まれた前記所定のデータを読出し、
読み出した前記所定のデータと、前記記憶手段に記憶された前記電子データに含まれる前記所定のデータとが一致するか否かを比較し、
前記比較の結果、一致しない場合に、前記ＩＤカードの作成を停止することを特徴とする。
【００１７】
請求項９に記載の発明は、請求項８に記載のＩＤカード作成方法において、
前記ＩＤカードのメモリから読み出した前記所定のデータと、前記電子データに含まれる所定のデータとが一致しない場合、前記ＩＤカードの作成を停止するとともに警告を発することを特徴とする。
【００１８】
請求項１０に記載の発明は、請求項８又は９に記載のＩＤカード作成方法において、
前記記憶手段は、前記電子データ及び該電子データの前記メモリへの書込み順を対応付けて管理するバッファテーブルと、前記書込み手段で現在書込み処理が行われている前記所定のデータを前記書込み順に基づいて管理するプリント管理テーブル及び前記読出し手段から読み出された前記所定のデータを記憶する確認用データ記憶手段が設けられ、
前記ＩＤカードのメモリから読み出した前記所定のデータと、前記電子データに含まれる所定のデータとが一致する否かを比較する際、前記プリント管理テーブルを参照して前記バッファテーブルに記憶された前記所定のデータを読出し、前記確認用データ記憶手段に記憶された前記所定のデータと読出して両データが一致するか否かを比較することを特徴とする。
【００１９】
請求項１１に記載の発明は、請求項８〜１０のいずれか一項に記載のＩＤカード作成方法において、
前記電子データは、ＩＤ番号データであることを特徴とする。
【００２０】
請求項１２に記載にの発明は、入力された電子データを記憶手段に記憶し、該電子データに基づいて電子情報を記憶するメモリを内蔵したＩＤカードの券面に画像を印画するとともに、前記メモリに、前記電子データに含まれる所定のデータの書込みを行うＩＤカードの作成方法において、
前記所定のデータを前記メモリに書き込む際、該所定データの複製データを生成して前記記憶手段に記憶し、
前記ＩＤカードのメモリに書き込まれた前記所定のデータを読み出し、
読み出された前記所定のデータと前記記憶手段に記憶した前記所定のデータの複製データとが一致するか否かを比較し、
比較の結果一致しない場合に、前記ＩＤカードの作成を停止することを特徴とする。
【００２１】
請求項１３に記載の発明は、請求項１２に記載のＩＤカード作成方法において、
前記ＩＤカードのメモリから読み出した前記所定のデータと前記複製データとの比較の結果一致しない場合、前記ＩＤカードの作成を停止するとともに警告を発することを特徴とする。
【００２２】
請求項１４に記載の発明は、請求項１２又は１３に記載のＩＤカード作成方法において、
前記所定のデータは、ＩＤ番号データであることを特徴とする。
【発明の効果】
【００２３】
請求項１に記載の発明によれば、ＩＤカードに内蔵されたメモリに書き込まれた所定のデータを読み出し手段が読み出し、このメモリから読み出したデータと、メモリに書き込んだ所定のデータを記憶する記憶手段のデータとを直接比較することで、ＩＤカードのメモリに書き込んだデータがＩＤカードの券面に印画された内容と一致するか否かを確認することができる。このため、ＩＤカードの作成処理を行う途中で、記憶手段から供給される電子データ等と処理の対象となるＩＤカードがずれてしまい、券面に印画された内容とＩＤカードのメモリに書き込まれたデータとが一致しない場合等が生じても、書込みエラーを検出して印画された内容とＩＤカードのメモリに書き込まれたデータの整合性が担保されたＩＤカードを作成することができる。
また、書込みエラーが検出された場合に、ＩＤカード作成装置の駆動を停止するため、上述したデータのずれにより、以降のＩＤカードで生じる書込みエラーの連鎖を防止することができ、大量且つ正確なＩＤカードの作成を実現することができる。
【００２４】
請求項２に記載の発明によれば、請求項１に記載のＩＤカード作成装置において、書込みエラーが生じた場合に警告を更に発するため、オペレータ等がエラーの発生を即座に認識することができ、ＩＤカード作成装置のラインの復旧作業に迅速に対応することができる。また、このような迅速な対応ができるためにＩＤカード作成装置の駆動停止時間が短縮されるという効果もある。
【００２５】
請求項３に記載の発明によれば、請求項１又は２に記載のＩＤカード作成装置において、記憶手段に、入力された電子データ及びこの電子データをＩＤカードのメモリに書き込む順序を対応付けて記憶するバッファテーブルと、データ書込み手段で現在の処理状況を管理するプリント管理テーブルとを有しており、このプリント管理テーブルは、バッファテーブルで管理される電子データを書き込む順序に基づいてデータ書込み手段での現在の処理状況を管理する。
このため、メモリに書き込んだ所定のデータを読み出して、記憶手段に記憶されている所定のデータと比較を行う際、比較の対象となる所定のデータは、メモリへの書込み順に基づいて管理されたデータであるから、データの信憑性や正確性に優れるという効果がある。
【００２６】
請求項４に記載の発明によれば、請求項１〜３のいずれか一項に記載のＩＤカード作成装置おいて、所定のデータがデータ量の比較的少ないＩＤ番号データであることで、大量且つ迅速に行われるＩＤカードの作成処理においてＩＤカードのメモリに書き込まれたＩＤ番号データと記憶手段に記憶されたＩＤ番号データとの比較を行う際、データの読み出し処理や比較処理を高速に処理することができる。
【００２７】
請求項５に記載の発明によれば、ＩＤカードに所定のデータを書き込む際、この所定データの複製データを確認用データ記憶手段に記憶し、ＩＤカードに所定のデータを書き込んだ後に書き込んだデータを読み出して、確認用データ記憶手段に記憶した複製データと比較することができる。即ち、ＩＤカードから直接データを読み出して比較するため、ＩＤカードのメモリに書き込んだデータがＩＤカードの券面に印画された画像データの内容と一致するか否かを確認することができる。このため、ＩＤカードの作成処理を行う途中で、画像データ等とＩＤカードがずれてしまい、券面に印画された画像の内容とＩＤカードのメモリに書き込まれたデータとが一致しない場合等が生じても、書込みエラーを検出して印画された画像と書き込まれたデータの整合性が担保されたＩＤカードを作成することができる。
【００２８】
請求項６に記載の発明によれば、請求項５に記載のＩＤカード作成装置において、書込みエラーが生じた場合に警告を更に発するため、オペレータ等がエラーの発生を即座に認識することができ、ＩＤカード作成装置のラインの復旧作業に迅速に対応することができる。また、このような迅速な対応ができるためにＩＤカード作成装置の駆動停止時間が短縮されるという効果もある。
【００２９】
請求項７に記載の発明によれば、請求項５又は６に記載のＩＤカード作成装置おいて、所定のデータがデータ量の比較的少ないＩＤ番号データであることで、大量且つ迅速に行われるＩＤカードの作成処理において、ＩＤカードのメモリに書き込まれたＩＤ番号データと確認用データ記憶手段に記憶されたＩＤ番号データとの比較を行う際、データの読み出し処理や比較処理を高速に処理することができる。
【００３０】
請求項８に記載の発明によれば、ＩＤカードに内蔵されたメモリに書き込まれた所定のデータを読み出し、このメモリから読み出したデータと、メモリに書き込んだ所定のデータを記憶する記憶手段のデータとを直接比較することでＩＤカードのメモリに書き込んだ所定のデータがＩＤカードの券面に印画された内容と一致するか否かを確認することができる。このため、ＩＤカードの作成処理を行う途中で、電子データと処理対象とするＩＤカードがずれてしまい券面に印画された画像の内容とＩＤカードのメモリに書き込まれたデータとが一致しない事態等が生じても、書込みエラーを検出して印画された内容と書き込まれたデータの整合性が担保されたＩＤカードを作成することができる。
また、書込みエラーが検出された場合に、ＩＤカード作成を停止するため、上述したデータのずれにより、以降のＩＤカードで生じる書込みエラーの連鎖を防止することができ、大量且つ正確なＩＤカードの作成を実現することができる。
【００３１】
請求項９に記載の発明によれば、請求項８に記載のＩＤカード作成方法において、書込みエラーが生じた場合に警告を更に発するため、オペレータ等がエラーの発生を即座に認識することができ、ＩＤカード作成装置のラインの復旧作業に迅速に対応することができる。また、このような迅速な対応ができるためにＩＤカード作成における駆動停止時間が短縮されるという効果もある。
【００３２】
請求項１０に記載の発明によれば、請求項８又は９に記載のＩＤカード作成方法において、記憶手段に、入力された電子データ及びこの電子データをＩＤカードのメモリに書き込む順序を対応付けて記憶するバッファテーブルと、データ書込み手段で現在の処理状況を管理するプリント管理テーブルとを有しており、このプリント管理テーブルは、バッファテーブルで管理される電子データを書き込む順序に基づいてデータ書込み手段での現在の処理状況を管理する。
このため、メモリに書き込んだ所定のデータを読み出して、記憶手段に記憶されている所定のデータと比較を行う際、比較の対象となる所定のデータは、メモリへの書込み順に基づいて管理されたデータであるから、データの信憑性や正確性に優れるという効果がある。
【００３３】
請求項１１に記載の発明によれば、請求項８〜１０のいずれか一項に記載のＩＤカード作成方法おいて、所定のデータがデータ量の比較的少ないＩＤ番号データであることで、大量且つ迅速に行われるＩＤカードの作成処理においてＩＤカードのメモリに書き込まれたＩＤ番号データと記憶手段に記憶されたＩＤ番号データとの比較を行う際、データの読み出し処理や比較処理を高速に処理することができる。
【００３４】
請求項１２に記載の発明によれば、ＩＤカードに所定のデータを書き込む際、この所定データの複製データを記憶手段に記憶し、ＩＤカードに所定のデータを書き込んだ後に書き込んだデータを読み出して、記憶手段に記憶した複製データと比較することができる。即ち、ＩＤカードから直接データを読み出して比較するため、ＩＤカードのメモリに書き込んだデータがＩＤカードの券面に印画された内容と一致するか否かを確認することができる。このため、ＩＤカードの作成処理を行う途中で、電子データと処理の対象とするＩＤカードがずれてしまい、券面に印画された内容とＩＤカードのメモリに書き込まれたデータとが一致しない事態等が生じても書込みエラーを検出することができ、印画された内容と書き込まれたデータの整合性が担保されたＩＤカードを作成することができる。
【００３５】
請求項１３に記載の発明によれば、請求項１２に記載のＩＤカード作成方法において、書込みエラーが生じた場合に警告を更に発するため、オペレータ等がエラーの発生を即座に認識することができ、ＩＤカード作成装置のラインの復旧作業に迅速に対応することができる。また、このような迅速な対応ができるためにＩＤカード作成装置の駆動停止時間が短縮されるという効果もある。
【００３６】
請求項１４に記載の発明によれば、請求項１２又は１３に記載のＩＤカード作成方法において、所定のデータがデータ量の比較的少ないＩＤ番号データであることで、大量且つ迅速に行われるＩＤカードの作成処理において、ＩＤカードのメモリに書き込まれたＩＤ番号データと記憶手段に記憶されたＩＤ番号データとの比較を行う際、データの読み出し処理や比較処理を高速に処理することができる。
【発明を実施するための最良の形態】
【００３７】
次に、図を用いて、本発明を実施するための最良の形態について説明する。
なお、本実施の形態に適用するＩＤカード作成装置は、カラー印画を可能とするものであり、ＩＤカードとして、社員証、従業者証、会員証、学生証、キャッシュカード、身分証明証、外国人登録証、パスポート及び各種運転免許証等を作成することができる。本実施の形態では、図３（ａ）に示すごとく、社員証を作成する例をあげるものとする。社員証のＩＤカード１００には、ＩＤ番号４４として「１２３４―０００１」の番号が付与されるものとし、氏名４０として「◇△太郎」及び（ＩＤカード１００の）発効日４１として「平成○○年○月○日」等の文字情報００を印画するものとする。又、顔画像４５は社員証発行申請者から提出された発行申請書（不図示）に貼付等された顔写真からスキャナ等の光学読取り装置（不図示）等によりイメージデータとして取得されるものとする。
また、ＩＤカード１００のベースカードとしては、磁気カード、ＩＣメモリを搭載した接触型又は非接触型のＩＣカードを適用することができるが、非接触型ＩＣカードを適用するものとする。以下の説明では、未だ券面に画像等の印字がなされていない単なる非接触型ＩＣカードの記載も簡単のために一律にＩＤカード１００として説明する。
【００３８】
図１は、本発明を適用したＩＤカード作成装置１の全体構成を示した概要図である。ＩＤカード作成装置１は、画像形成ユニット２、Ｒ／Ｗユニット３、制御部４及び記憶部５から構成される。
画像形成ユニット２は、より具体的にホッパ１０、イエロー色画像形成ユニット１１（以下、単に「Ｙ色画像形成ユニット１１」という。）、マゼンタ色画像形成ユニット１２（以下、単に「Ｍ色画像形成ユニット１２」という。）、シアン色画像形成ユニット１３（以下、単に「Ｃ色画像形成ユニット１３」という。）、ブラック色画像形成ユニット１４（以下、単に「Ｋ色画像形成ユニット１４」という。）及び搬送ベルト８より構成される。いわゆるタンデム式の印画機構を有するものである。このうち、Ｙ色画像形成ユニット１１、Ｍ色画像形成ユニット１２及びＣ色画像形成装置１３は、後述する制御部４から供給される顔画像データから社員証発行申請者の顔画像を印画するものである。Ｋ色画像形成ユニット１４は、社員証申請者のＩＤ番号及び氏名等の文字を印画するものである。
【００３９】
ホッパ１０は、所定枚数の枚葉状のＩＤカード１００を収納し、後述する制御部４からの指示信号に基づいて、ホッパ１０の下方に設けられた搬送ベルト８にＩＤカード１００を適宜載置供給する。なお、ＩＤカード１００は、その券面上に未だ画像が印画されておらず、内蔵するＩＣメモリ（後述するＥＥＰＲＯＭ３８）にも個人情報等が書き込まれていない状態にある。
【００４０】
搬送ベルト８は、ＩＤカード１００を搬送する搬送装置であり、その搬送方向に沿った上方に順次Ｙ色画像形成ユニット１１、Ｍ色画像形成ユニット１２、Ｃ色画像形成ユニット１３及びＫ色画像形成ユニット１４が設けられる。
【００４１】
Ｙ色画像形成ユニット１１は、ＩＤカード１００の券面に印画する顔画像のうちイエロー成分の顔画像を印画する。搬送ベルト８によりＩＤカード１００が所定の位置まで搬送されると、図示しない位置検出センサからの出力信号をトリガーとして券面上に印画を行う。同様に、Ｍ色画像形成ユニット１２及びＣ色画像形成ユニット１３でも印画する顔画像のうちマゼンタ及びシアンの各色成分の印画を夫々行う。
【００４２】
Ｋ色画像形成ユニット１４は、後述する制御部４から供給されるＩＤ番号データ及び文字データに基づき、ＩＤ番号及び氏名等の文字情報をＫ色（ブラック）で印画するものである。
【００４３】
Ｒ／Ｗユニット３は、ＩＤカードのＩＣメモリに社員証発行要求者のＩＤ番号データ等の書込み又は読込みを行うものである。図２にＲ／Ｗユニットの機能的構成を示す。Ｒ／Ｗユニット３は、発振器５０、ユニット側ＰＳＫ変調回路５１、正弦波発生回路５２、送信波側増幅回路５３、ユニット側アンテナコイル５７、受信波側増幅回路５４、ユニット側フィルタ回路５５及びユニット側ＰＳＫ復調回路５６から構成される。
【００４４】
発振器５０は、１３.５６ＭＨＺの搬送波を発生させてユニット側ＰＳＫ変調回路５１に供給する。ユニット側ＰＳＫ変調回路５１では、後述する制御部４から供給される電子データに９０度の２位相ＰＳＫ変調を行い、デジタル信号として信号を正弦波発生回路５２に供給する。正弦波発生回路５２はサイン波を発生させ、このサイン波をキャリアとしてデジタル信号を送信波側増幅回路５３に供給する。送信波側増幅回路５３はユニット側アンテナコイル５７を作動させ、これにより生ずる電磁波を搬送波としてＩＤカード１００に書き込むデータを送信する。
【００４５】
送信された電磁波はＩＤカード１００に受信される。図３（ｂ）にＩＤカード１００の内部構成の概要を示す。ＩＤカード１００は、カード側アンテナコイル３０、カード側フィルタ回路３１、クロック回路３２、ＰＳＫ復調変調回路３３、カード側増幅回路３４及びデータ処理部３５から構成される。
【００４６】
カード側アンテナコイル３０は、ＩＤカード１００の外周に沿う様に設けられる。ユニット側アンテナコイル５７から送出された搬送波を受信するだけでなく、搬送波を受信することで電磁誘導作用により電気を発生し、図示しない整流回路を介してＩＤカード１００を構成する各素子の電力を供給する機能を併せ持つ。カード側アンテナコイル３０で受信した搬送波は、カード側増幅回路３４で増幅され、カード側フィルタ回路３１に供給される。カード側フィルタ回路３１は、不要なノイズ等を除去して必要な信号波形を抽出し搬送波に含まれる電子データを取り出す。このようにして得られた電子データは図示しないＡ／Ｄ変換回路によりアナログ信号からデジタル信号に変換され、ＰＳＫ復調変調回路３３に供給される。ＰＳＫ復調変調回路３３は、供給された信号に対し、ＰＳＫ復調を行い電子データの復調再生を行うようになっている。復調されたデジタル信号は、データ処理部３５に出力される。
【００４７】
データ処理部３５は、カード側ＣＰＵ（Central Processing Unit）３６、カード側ＲＡＭ（Random Access Memory）３７及びＥＥＰＲＯＭ（Electrically Erasable Programmable Read‐Only Memory）３８から構成される。カード側ＣＰＵ３６はワークエリアとしてのカード側ＲＡＭ３７にプログラムを展開し、ＩＤカード１００における電子データの記憶、書換え及び送受信を制御する。ＥＥＰＲＯＭ３８は、不揮発性の半導体素子から構成され、Ｒ／Ｗユニット３から送信されるＩＤ番号データ及び文字データを記憶する。なお、クロック回路３２は、搬送波の供給を受け、データ処理部の動作クロックを生成する。
【００４８】
図２に戻り、ＩＤカード１００から電子データが出力される場合について説明する。Ｒ／Ｗユニット３からユニット側アンテナコイル５７を介して送信される電子データの出力要求信号をＩＤカード１００で受信すると、カード側ＣＰＵ３６はＥＥＰＲＯＭ３８に記憶されているＩＤ番号データを読み込み、図示しないＡ／Ｄ変換回路、ＰＳＫ復調変調回路３３、カード側増幅回路３４及びカード側アンテナコイル３０を介してＩＤ番号データを含む搬送波をＲ／Ｗユニット３に送信する。
ユニット側アンテナコイル５７により受信された搬送波は、受信波側増幅回路５４で増幅されユニット側フィルタ回路５５に供給される。ユニット側フィルタ回路５５は、搬送波から不要なノイズ等を除去し、必要な信号波形を抽出してＩＤ番号データを取り出すものである。得られたＩＤ番号データは、図示しないＡ／Ｄ変換回路を介してデジタル信号に変換される。デジタル信号に変換されたＩＤ番号データは、ユニット側ＰＳＫ復調回路５６に供給される。ユニット側ＰＳＫ復調回路５６は、デジタイズされたＩＤ番号データに対しＰＳＫ復調を行い、復調再生を行うものである。その後、復調されたＩＤ番号データは制御部４に出力される。
【００４９】
次に、制御部４について説明する。制御部４は、ＣＰＵ１７及びＲＡＭ１８から構成される。画像形成ユニット２、ＲＷユニット３、記憶部５、データ入力部１９、表示部２０及び音声出力部２１と接続され、ＩＤカード作成装置１の全体制御を行う。図示しないＲＯＭ又はメモリに予め記憶されたＩＤカード作成装置１の制御プログラムを読出し、ワークエリアとしてのＲＡＭ１８に展開し、画像形成ユニット２、Ｒ／Ｗユニット３、記憶部５、表示部２０及び音声出力部２１に各種の制御信号を送信する。
【００５０】
データ入力部１９は、ＩＤカード１００に印画するＩＤ番号、顔写真及び文字情報を制御部４に入力するものである。キーボード、テンキー、マウス及びスキャナ等を備えるＰＣ（Personal Computer）等から構成され、オペレータの操作により各種の処理指示を入力するものである。社員証発行手続書等に記載されたＩＤ番号及び氏名並びに発効日等の文字情報をキーボードやテンキーから入力し、予め定められた所定の文字コードとして制御部４に送信する。送信された文字コードは記憶部５に予め格納された文字対応テーブル（不図示）を参照することにより、対応する文字のイメージデータに変換されＫ色画像形成ユニット１４に供給される。また、Ｒ／Ｗユニット３には、ＩＤ番号と文字情報のイメージデータあるいは文字コードのまま供給される。顔画像は、社員証発行手続書等に貼付された発行申請者の顔写真等をスキャナで取り込み、イメージデータとしてＲＧＢの信号形式でＣＰＵ１７に送信する。送信されたイメージデータは、制御部４にてＹＭＣの信号形式に変換され、Ｙ、Ｍ及びＣ画像形成ユニットに供給される。
なお、顔画像データの入力は、外部機器入力端子等から入力する構成とすることも当然に可能である。例えば、データ管理規約上で互換性のあるデジタルカメラ等と接続して顔画像データを取り込む構成としてもよいし、ＮＩＣ（Network Interface Card）等を設けてＬＡＮ（Local Area Network）、ＷＡＮ（Wide Area Network）、ＭＡＮ（Metropolitan Area Network）又はインターネットと通信可能に構成して顔画像データを取得するようにしてもよい。
【００５１】
表示部２０は、ＣＲＴ（Cathode Ray Tube）、ＴＦＴ（Thin Film Transistor）液晶表示素子や有機ＥＬ（Electro Luminescence）素子等からなるＦＤＰ（Flat Display Panel）等から構成される。ＣＰＵ１７から出力されるＩＤカード作成装置１の稼動状況やＩＤカード１００の作成状況を表示するものである。特に、本実施の形態では、ＣＰＵ１７がＩＤカード作成装置１の各所に設けられた各種のセンサ（不図示）から異常を示す信号を受信した際に警告画面を表示するようになっている。
【００５２】
音声出力部２１はスピーカ等を備え、ＩＤカード作成装置１の作動不良等のアラーム等を音声出力する。本実施の形態では、ＩＤカード１００に書き込まれたＩＤ番号データとＩＤカード１００の券面に印画する際に使用するＩＤ番号データが不一致である場合に警告音を出力するようになっている。
【００５３】
記憶部５は、ハードディスクや不揮発メモリ等から構成される。ＩＤカード１００の券面に印画する画像の画像データ及びＩＤカード１００に内蔵されたＥＥＰＲＯＭ３８に書き込むＩＤ番号等の電子データを記憶するものである。更に、記憶部５は、カード作成来歴管理テーブル２３、バッファテーブル２２、プリント管理テーブル及びＩＣデータ確認用バッファメモリ２５を有する。
【００５４】
カード作成来歴管理テーブル２３は、ＩＤカード作成装置１が作成したＩＤカード１００の履歴を管理するテーブルである。図４に、カード作成来歴管理テーブル２３の管理の態様を模式的に示す。図中、「カード番号」とは、ＩＤカード作成装置１の駆動時間中に作成されたＩＤカード毎に、その作成順に従って付された番号である。例えば、カード番号「＃１」は、ＩＤカード作成装置１を立ち上げてから最初に作成されたＩＤカードに付される。ＩＤ番号は、ＩＤカードの発行申請者毎に付される番号である。カード作成来歴管理テーブルでは、この２つの番号を対応付けて管理する。カード作成来歴テーブルのレコード数は、ＩＤカード作成装置１において一定時間内（例えば、１日）で可能とする作成枚数又はＩＤカード１００の発行予定数以上のレコード数を備える。
また、カード作成来歴管理テーブル２３に記録したデータをリセットする場合は、所定のＩＤカードの作成が終了した後ＩＤカード作成装置１を再起動したとき、オペレータの操作によりリセットするとき又は所定枚数のＩＤカードの作成を終了したとき等の種々のタイミングでリセットが可能である。また、リセット前に記録媒体等に自動バックアップを行う構成としても良い。後に発覚したカード不良事故等の原因追求の一助になるためである。
【００５５】
バッファテーブル２２は、ＩＤカード１００のＩＤ番号データ、顔画像データ及び文字データをバッファ番号と対応付けて管理する管理テーブルである。図５（ａ）に、バッファテーブル２２の管理の態様を模式的に示す。図中、「バッファ番号」とはバッファ管理テーブル上で１つのＩＤカードに関するＩＤ番号データ、顔画像データ及び文字データをセットとして管理する番号であり、１つのバッファ番号に対し１つのＩＤ番号データ、顔画像データ及び文字データがセットとして対応付けられる。また、バッファ番号は、ＩＤカードの作成順に従ってＩＤカード毎の管理をする。バッファテーブル２２は、イメージデータとしての顔画像データを含むため、管理するデータ量が多いことから（例えば、１つの顔画像データのデータ量は例えば５００ＫＢ）、テーブルのレコード数は６に構成している。
各データが管理されるバッファ番号Ｎｏ.１〜Ｎｏ.６では、ＩＤカードの作成順にＩＤ番号データ、顔画像データ及び文字データのセットが順々に格納される。各バッファ番号に格納されたデータは、ＩＤカード作成装置１での全ての工程を経て、ＩＤカードが完成品として排出された段階で消去するようになっている。
図５（ａ）は、１枚目から６枚目のＩＤカードに関するデータのセットが格納された状態を示す。バッファ番号Ｎｏ.１〜Ｎｏ.６まで格納すると、制御部４から供給されるデータの受信を一時的に停止する。その後、上述のごとく、ＩＤカード作成装置１においてバッファ番号Ｎｏ.１のデータの処理が全て終了し消去が完了すると、図５（ｂ）に示すように、新たな１セット分即ち７枚目のＩＤカードのデータ（ＩＤ番号データ「Ｎｏ.０００７」、顔画像データ「Ｎｏ.０００７」及び文字データ「Ｎｏ.０００７」を格納する。
【００５６】
プリント管理テーブル２４は、ＩＤカード作成装置１の各ユニットで作成処理中のＩＤカード１００のカード番号データ及びこのＩＤ番号データに対応するバッファ番号を、各ユニットでの処理工程が移行する度に逐次更新して現在の各ユニット等の処理状況を管理する管理テーブルである。図６にプリント管理テーブルの管理の態様を示す。フェーズ１のプリント管理テーブル２４ａにて、「＃１」のカード番号データが付与されたＩＤカード１００を例に説明する。「＃１」のＩＤカード番号データを有するＩＤカード１００は、既にＹ、Ｍ、Ｃの各画像形成ユニットでの顔画像の印画を終了し、現在Ｋ色画像形成ユニット１４でＩＤ番号４４及び氏名４０並びに発効日４１等の文字情報４３を印画中であることを示している。このとき、プリント管理テーブル２４ａにおいて、カード番号データに対応するバッファ番号は「Ｎｏ.１」である。即ち、現在Ｋ色画像形成ユニット１４で印画しているＩＤ番号、顔画像及び文字の各データは、バッファ番号「Ｎｏ.１」で管理しているデータ（「Ｎｏ.０００１」のデータ）である。
【００５７】
フェーズ２のプリント管理テーブル２４ｂは、フェーズ１でのＫ色画像形成ユニット１４のＩＤ番号データ及び文字データの処理が終了して次の工程に移行したときの、プリント管理テーブル２４の管理の態様を示したものである。このように、１フェーズを移行する毎に、プリント管理データを更新する。
カード番号「＃１」のＩＤカード１００が、Ｋ色画像形成ユニット１４でのＩＤ番号及び文字情報の印画を終えた後、プリント管理テーブル１４において、カード番号「＃１」とバッファ番号「Ｎｏ.１」を、次のＲ／Ｗ装置の管理項目に移行する更新を行う。以上のようにカード番号「＃１」及びバッファ番号「Ｎｏ.１」に続くカード番号及バッファ番号も順次更新して管理を行う。
【００５８】
ＩＣデータ確認用バッファメモリ２５は、後述する「ＩＣデータ確認処理」において、ＩＤカード１００に書き込んだＩＤ番号データをＲ／Ｗユニット３が読み出し、この読み出されたＩＤ番号データを一時的に記憶するものである。
【００５９】
このように、各ＩＤカードの現在の処理工程及び画像データの内容とＩＤカード１００のＥＥＰＲＯＭ３８に書き込まれる電子データの内容が一致するか否かを確認する際には、プリント管理テーブル２４を参照し、カード番号データ及びバッファ番号データと夫々対応付けられるカード作成来歴管理テーブル２３やバッファテーブル２２のＩＤ番号等を参照することで判別することができる。本実施の形態におけるＩＤカード作成装置１は、ホッパ１０、Ｙ色画像形成ユニット１１、Ｍ色画像形成装置１２、Ｃ色画像形成装置１３、Ｋ色画像形成ユニット１４及びＲ／Ｗユニット３での各処理に際し、プリント管理テーブル２４、バッファテーブル２２及びカード作成来歴管理テーブル２３を逐次参照して、処理対象とするＩＤカードと各処理に使用されるデータとが一致するかを確認する「処理対象及びデータ確認処理」を行う。以下に、「処理対象及びデータ確認処理」について、図７のフロー図を用いて説明する。なお、以下の処理は所定のプログラムに基づき、ＣＰＵ１７により制御処理が行われる。
【００６０】
制御部４からバッファテーブル２２のバッファ番号「Ｎｏ.１」のＩＤ番号データ、顔画像データ及び文字データをホッパ１０に出力する前に、ＣＰＵ１７は、プリント管理テーブル２４を参照して、カード番号とバッファ番号を取得する（ステップＳ１０１）。
【００６１】
取得したカード番号に基づき、カード作成来歴管理テーブル２３から対応するカード番号を検索し、カード作成来歴管理テーブル２３のガード番号に対応付けられて記憶されているＩＤ番号データを抽出する（ステップＳ１０２）。
【００６２】
次いで、ステップＳ１０１にて取得したバッファ番号に基づきバッファテーブル２２から対応するバッファ番号を検索し、バッファテーブル２２のバッファ番号に対応付けられているＩＤ番号データを抽出する（ステップＳ１０３）。
【００６３】
ステップＳ１０２にて抽出したカード作成来歴管理テーブル２３におけるＩＤ番号データと、ステップＳ１０３にて抽出したバッファテーブル２２におけるＩＤ番号データとを比較し、一致するか否かを判別する（ステップＳ１０４）。
【００６４】
ステップＳ１０４の判別にて両ＩＤデータが一致する場合には（ステップＳ１０５：ＹＥＳ）、対象とするＩＤカードとこのＩＤカードに対応するデータが一致するものと判断し、ホッパ１０にＩＤ番号データ、顔画像データ及び文字データを供給する（ステップＳ１０６）。逆に、一致しない場合には（ステップＳ１０５：ＮＯ）、ＩＤカード作成装置１の稼動を一時停止する処理を行う（ステップＳ１０７）。
【００６５】
同様の処理をＹ画像形成ユニット１１、Ｍ画像形成ユニット１２、Ｃ画像形成ユニット１３、Ｋ画像形成ユニット１４及びＲ／Ｗユニット３にデータ送信する前に行う。但し、上述の「処理対象及びデータ確認処理」において、ステップＳ１０６にて供給するデータは、Ｙ画像形成ユニット１１では、顔画像データのうちイエロー成分の顔画像データ、Ｍ画像形成ユニット１２では、顔画像データのうちマゼンタ成分の顔画像データ、Ｃ画像形成ユニット１３では、顔画像データのうちシアン成分の顔画像データであり、Ｋ画像形成ユニット１４では、ＩＤ番号データ及び文字データであり、Ｒ／Ｗユニット３ではＩＤ番号データ及び文字データである。
このように、各処理工程で逐次処理データと処理対象であるＩＤカードとの対応を確認することで、バッファテーブルでのデータ順の狂いや破壊等のデータ不良が生じても、即座に検出することができ、印画された内容とＥＥＰＲＯＭ３８に記憶するＩＤ番号データ等の一致を確実に検出することができる。
【００６６】
次に、本実施の形態におけるＩＤカード作成装置１の特徴である「ＩＣデータ確認処理」について説明する。
「ＩＣデータ確認処理」とは、Ｙ色画像形成ユニット１１、Ｍ色画像形成ユニット１２、Ｃ色画像形成ユニット１３及びＫ色画像形成ユニット１４でＩＤカード１００の顔画像、ＩＤ番号及び文字情報の印画を終了し、ＩＤカード１００のＥＥＰＲＯＭ３８にＩＤ番号データ及び文字データの書込みを行った後、この券面に印画されたＩＤ番号４４及び文字情報４３の内容と、ＥＥＰＲＯＭ３８に書き込まれた内容とが一致するか否かを判別する処理をいう。図８は、「ＩＣデータ確認処理」の処理手順を示すフロー図である。なお、以下の処理はプログラムに基づき制御部４のＣＰＵ１７により処理が行われる。
【００６７】
Ｋ色画像形成ユニット１４での印画処理を終了し、搬送ベルト８によりＩＤカード１００がＲ／Ｗユニット３に搬送され、ＩＤ番号データ及び文字データの書込みが行われると、ＣＰＵ１７はＩＤカード１００のＥＥＰＲＯＭ３８に書き込まれたＩＤ番号データの読込み指示を出力する（ステップＳ２０１）。
【００６８】
ＩＤ番号データの読込み指示を受けたＲ／Ｗ装置１５では、この指示信号を発振器５０、ユニット側ＰＳＫ変調回路５１、正弦波発生回路５２、送信波側増幅回路５３及びユニット側アンテナコイル５７を介してＩＤカード１００に送信する（ステップＳ２０２）。
【００６９】
ＩＤカード１００は、カード側アンテナコイル３０にて指示信号を受信する。その後、カード側フィルタ回路３１、カード側増幅回路３４及びＰＳＫ復調変調回路３３を介してデータ処理部３５に出力する。カード側ＣＰＵ３６は、供給された指示信号に従いＥＥＰＲＯＭ３８にアクセスし、格納されたＩＤ番号データを読出す。読み出されたＩＤ番号データ及び文字データをＰＳＫ復調変調回路３３等の各回路を介してカード側アンテナコイル３０から送信する（ステップＳ２０３）。
【００７０】
ステップＳ１０３にて送信されたＩＤ番号データを、ユニット側アンテナコイル５７で受信する。受信した信号を受信波側増幅回路５４、ユニット側フィルタ回路５５、ユニット側ＰＳＫ復調回路５６を介してデジタイズされたＩＤ番号データに変換してＣＰＵ１７に出力する（ステップＳ２０４）。
【００７１】
次いで、ＣＰＵ１７は、Ｒ／Ｗ装置１５を介してＩＤカード１００から読み出したＩＤ番号データを受信し、ＩＣデータ確認用バッファメモリ２５に記憶する（ステップＳ２０５）。
【００７２】
次いで、記憶部５にアクセスしてプリント管理テーブル２４を参照し、プリント管理テーブル２４Ｒ／Ｗ装置のステージ欄に現在管理されているバッファ番号を検出する（ステップＳ２０６（図６のプリント管理テーブル２４ｂ参照））。このとき、プリント管理テーブル２４ｂのＲ／Ｗ装置のステージ欄には、ステップＳ１０２〜Ｓ１０４の処理にてＩＤカード１００から取得したＩＤ番号データと同一のＩＤ番号データを管理するバッファ番号データが管理されているはずである。従って、バッファ番号「Ｎｏ.１」をキーとしてバッファテーブル２２から同一のバッファ番号データを検出し、この検出されたバッファ番号と対応付けられるＩＤ番号データを抽出する（ステップＳ２０７）。
【００７３】
次いで、ステップＳ２０５にてＩＣデータ確認用バッファメモリ２５に記憶したＩＤ番号データを読出し、このデータとバッファテーブル２２から抽出したＩＤ番号データとの比較を行う（ステップＳ２０８）。
【００７４】
データが一致する場合は（ステップＳ２０９：ＹＥＳ）、ＩＤカード１００のＥＥＰＲＯＭ３８に書き込まれたＩＤ番号データと券面に印画された文字データとの内容が一致すると判断し、ＩＤカードを完成品として排出する（ステップＳ２１０）。
【００７５】
ステップＳ２０９にて、データが不一致である場合は（ステップＳ２０９：ＮＯ）、画像形成ユニット２にカード作成処理を中止する信号を出力し、ＩＤカード作成装置１の作成処理を一時中断する（ステップＳ２１２）。
【００７６】
次いで、ＣＰＵ１７は、表示部２０にＩＤカードに印画された画像の内容とＥＥＰＲＯＭ３８に格納した電子データの内容が異なる旨の警告表示を行う指示信号を出力し、表示部２０に警告映像を表示させる。更に、音声出力部２１に警告音を発生させる指示信号を出力し音声出力部２１から警告音を出力させる（ステップＳ２１３）。
【００７７】
オペレータの確認検査等により、ＩＤカード内のＩＤ番号データとバッファテーブルのＩＤ番号データとが異なるＩＤカードが除去され、各官吏テーブルの管理データの整合が調節された後、データ入力部１９を介してリスタート信号の送信を受けると（ステップＳ２１４）、ＩＤカード作成処理を再開する（ステップＳ２１１）。
【００７８】
ステップＳ２１０にてＩＤカード１００を排出した後、あるいはステップＳ２１４にてリスタートを受信した後、ＣＰＵ１７はバッファメモリ２２のバッファ番号「Ｎｏ.１」で管理するＩＤ番号データ「Ｎｏ.０００１」、顔画像データ「Ｎｏ.０００１」及び文字データ「Ｎｏ.０００１」を消去し、新たにバッファ番号「Ｎｏ.１」にＩＤ番号データ「Ｎｏ.０００７」、ＩＤ番号「Ｎｏ.０００７」及び文字データ「Ｎｏ.０００７」を対応付けて記憶する。カード作成来歴管理テーブル２３では、カード番号「＃７」とＩＤ番号データ（「Ｎｏ.０００７」）とを対応付けて追加記憶し、プリント管理テーブル２４では、「ホッパ」のステージ項目にカード番号「＃７」とバッファ番号「Ｎｏ.１」とを対応付けて記憶する更新処理を行う（ステップＳ２１１）。
【００７９】
次に、以上の処理を含むＩＤカード作成装置１の動作について図９及び図１０のフロー図を用いて説明する。なお、以下の処理は制御プログラムに従いＣＰＵ１７により処理されるものである。
【００８０】
先ず、社員証の発行申請者から所定事項の記入及び申請者の顔写真が貼付された申請書類の提出がなされる。オペレータはこの申請書の記載に基づき、データ入力部１９を介して申請者の氏名４０及び発効日４１等の文字情報４３及び所定の規定により付与される従業者番号としてのＩＤ番号４４を入力し、文字コードとしてＣＰＵ１７に送信する。
次いで、顔写真４５をスキャナ等の光学的読取装置（不図示）により読取り顔画像データをイメージデータとしてＣＰＵ１７に送信する。ＩＤ番号データ、文字データ及び顔画像データを取得したＣＰＵ１７は（ステップＳ３０１）、受信したＩＤ番号データ、文字データ及び顔画像データを記憶部５に送信し、所定のプログラムに従い、バッファテーブル２２のバッファ番号「Ｎｏ.１」と対応付けて記憶する（ステップＳ３０２）。
【００８１】
同時に、カード作成来歴管理テーブル２３にて、カード番号「＃１」とＩＤ番号データを対応付けて記憶する（ステップＳ３０３）。
【００８２】
次いで、プリント管理テーブル２４にて、バッファテーブル２２のバッファ番号及びカード作成来歴管理テーブル２３のカード番号を対応付けて記憶する（ステップＳ３０４）。
【００８３】
以上の各テーブルでの対応付けが終了した後、バッファテーブル２２から画像形成ユニット２に、ＩＤ番号データ、顔画像データ及び文字データを供給し（ステップＳ３０５）その後、「処理対象及びデータ確認処理」を実行する（ステップＳ３０６（図７参照））。
【００８４】
ステップＳ３０６の「処理対象及びデータ確認処理」の後、ホッパ１０に駆動開始指示信号を送信し、搬送ベルト８上にＩＤカード１００を載置する（ステップＳ３０７）。その後、搬送ベルト８を駆動し、図示しない位置検出センサの検出信号に基づいてＩＤカード１００をＹ色画像形成ユニット１１の画像形成位置まで搬送する（ステップＳ３０８）。
【００８５】
ＣＰＵ１７は、位置検出センサからの出力信号を受け、プリント管理テーブル２４において、ＩＤカード１００のカード番号データ及びバッファ番号データのステージ項目を「ホッパ」から「Ｙ色画像形成ユニット」に更新する（ステップＳ３０９）。その後「処理対象及びデータ確認処理」を実行する（ステップＳ３１０）。
【００８６】
ステップＳ３１０の「処理対象及びデータ確認処理」を実行した後、Ｙ色画像形成ユニット１１は、制御部４から送信された顔画像データのうちイエロー成分のデータに基づいて、ＩＤカード１００の券面に印画を行う（ステップＳ３１１）。イエロー成分の印画を終了すると、印画終了の応答信号を制御部４に送信する。その後、搬送ベルト８を駆動し、図示しない位置検出センサの検出信号に基づいてＩＤカード１００をＭ色画像形成ユニット１２の画像形成位置まで搬送する。
【００８７】
ＣＰＵ１７は、位置検出センサからの出力信号を受け、プリント管理テーブル２４において、ＩＤカード１００のカード番号データ及びバッファ番号のステージを「Ｙ色画像形成ユニット」から「Ｍ色画像形成ユニット」に更新する（ステップＳ３１２）。その後「処理対象及びデータ確認処理」を実行する（ステップＳ３１３）。
【００８８】
ステップＳ３１３の「処理対象及びデータ確認処理」を実行した後、Ｍ色画像形成ユニット１２は、顔画像データのうちマゼンタ成分のデータに基づいて、ＩＤカード１００の券面に印画を行う（ステップＳ３１４）。マゼンタ成分の印画を終了すると、印画終了の応答信号を制御部４に送信する。その後、搬送ベルト８を駆動し、図示しない位置検出センサの検出信号に基づいてＩＤカード１００をＣ色画像形成ユニット１３の画像形成位置まで搬送する。
【００８９】
ＣＰＵ１７は、位置検出センサからの出力信号を受け、プリント管理テーブル２４において、ＩＤカード１００のカード番号データ及びバッファ番号のステージを「Ｍ色画像形成ユニット」から「Ｃ色画像形成ユニット」に更新する（ステップＳ３１５）。その後「処理対象及びデータ確認処理」を実行する（ステップＳ３１６）。
【００９０】
ステップＳ３１６の「処理対象及びデータ確認処理」を実行した後、Ｃ色画像形成ユニット１３は、顔画像データ及び文字データのうちシアン成分のデータに基づいて、ＩＤカード１００の券面に印画を行う（ステップＳ３１７）。シアン成分の印画を終了すると、印画終了の応答信号を制御部４に送信する。その後、搬送ベルト８を駆動し、図示しない位置検出センサの検出信号に基づいてＩＤカード１００をＫ色画像形成ユニット１４の画像形成位置まで搬送する。
【００９１】
ＣＰＵ１７は、位置検出センサからの出力信号を受け、プリント管理テーブル２４において、ＩＤカード１００のカード番号データ及びバッファ番号のステージを「Ｃ色画像形成ユニット」から「Ｋ色画像形成ユニット」に更新する（ステップＳ３１８）。その後「処理対象及びデータ確認処理」を実行する（ステップＳ３１９）。
【００９２】
ステップＳ３１９の「処理対象及びデータ確認処理」を実行した後、Ｋ色画像形成ユニット１４は、ＩＤ番号データ及び文字データに基づいて、ＩＤカード１００の券面にＩＤ番号４４、氏名４０及び発効日４１の印画を行う（ステップＳ３２０）。ＩＤ番号４４、氏名４０及び発効日４１の印画を終了すると、印画終了の応答信号を制御部４に送信する。その後、搬送ベルト８を駆動し、図示しない位置検出センサの検出信号に基づいてＩＤカード１００をＲ／Ｗユニット３のカード読取り位置まで搬送する。
【００９３】
ＣＰＵ１７は、位置検出センサからの出力信号を受け、プリント管理テーブル２４において、ＩＤカード１００のカード番号データ及びバッファ番号データのステージを「Ｋ色画像形成ユニット」から「Ｒ／Ｗユニット」に更新する（ステップＳ３２１）。その後「処理対象及びデータ確認処理」を実行する（ステップＳ３２２）。
【００９４】
ステップＳ３２２の「処理対象及びデータ確認処理」を実行した後、Ｒ／Ｗユニット３は、ＣＰＵ１７から送信されたＩＤ番号データ及び文字データをＩＤカード１００に書き込む（ステップＳ３２３）。その後、Ｒ／Ｗ装置１５が、データの書込み処理の終了を示す応答信号を受信しＣＰＵ１７に送信する（ステップＳ３２４）。
【００９５】
ＩＤ番号データ及び文字データの書込み終了を示す信号を受信したＣＰＵ１７は、ＥＥＰＲＯＭ３８に書き込まれた電子データの内容と画像形成ユニット２からＲ／Ｗ装置に送信されたＩＤカード番号データ及び文字データとが一致するか否かを判別する「ＩＣデータ確認処理」を実行する（ステップＳ３２５）。
【００９６】
ステップＳ３２５の「ＩＣデータ確認処理」にてＩＤカード１００を排出あるいはＩＤカード作成のリスタートが行われると、ＣＰＵ１７はバッファメモリ２２のバッファ番号「Ｎｏ.１」で管理するＩＤ番号データ「Ｎｏ.０００１」、顔画像データ「Ｎｏ.０００１」及び文字データ「Ｎｏ.０００１」を消去し、新たにバッファ番号「Ｎｏ.１」にＩＤ番号データ「Ｎｏ.０００７」、ＩＤ番号「Ｎｏ.０００７」及び文字データ「Ｎｏ.０００７」を対応付けて記憶し、カード作成来歴管理テーブル２３にて、カード番号「＃７」とＩＤ番号データ（「Ｎｏ.０００７」）とを対応付けて追加記憶し、プリント管理テーブル２４にて、「ホッパ」のステージ項目にカード番号「＃７」とバッファ番号「Ｎｏ.１」とを対応付けて記憶する更新処理を行う（ステップＳ３２６）。
【００９７】
ステップＳ３２５の「ＩＣデータ確認処理」にて、ＥＥＰＲＯＭ３８から読み出したデータと制御部４から供給されたデータとが一致する場合には、上述したＩＣデータ確認処理のステップＳ２１０に示すように、ＩＤカード１００を完成品としてＩＤカード作成装置１から排出する。また、不一致である場合には、上述したＩＣデータ確認処理のステップＳ２１２及びＳ２１３に示すように、ＩＤカード作成装置１の駆動を一時停止するとともに表示部２０及び音声出力部２１から警告表示を表示あるいは警告音を出力する。
【００９８】
以上のように、本実施の形態におけるＩＤカード作成装置によれば、ＩＤカード１００のＥＥＰＲＯＭ３８に書き込んだ内容を、Ｒ／Ｗ装置１５から直接読出し、この読み出したＩＤ番号データとプリント管理テーブル２４で管理されるＩＤ番号データを比較し、これらデータが一致するか否かを判別するため、ＩＤカード１００に電子データが正確に書き込まれたかを判断することができ、電子データ書込み時に発生したエラーに対してもエラー検出を行うことができる。
【００９９】
更に、ＥＥＰＲＯＭ３８に書き込んだデータと券面に印画された内容の整合性を判断するに際して、比較的データ量少ないＩＤ番号データのみをもって比較を行うため、ＣＰＵ００での演算回数が少なくなり、判断処理の高速化という効果がある。
【０１００】
また、ＩＤカード１００に印画された画像は、人間の視覚により確認することができるため比較的エラーが発見されやすいが、ＥＥＰＲＯＭ３８に書き込まれた電子データのエラーは人間の五感等で直接感知することができない。そのため、書き込むデータに問題が無くても書込み動作自体にエラーがある場合であっても、書込み動作によるエラーを発見することができるという効果がある。
【０１０１】
また、従来からのＩＤカード作成装置１に、ソフトウェア的な変更を追加するだけでよいため、コスト負担が少なく又簡便にＩＤカード１００に書き込まれたＩＣデータの確認を行うことができ実用性に優れるという効果がある。
【０１０２】
〔変形例〕
次に、第１実施形態の変形例について述べる。第１の実施形態におけるＩＣデータ確認処理は、ＩＤカード１００から読み出してＩＣデータ確認用バッファメモリに記憶したＩＤ番号データと、プリント管理テーブル２４の「Ｒ／Ｗ装置」のステージにてバッファ番号と対応付けて管理されるＩＤ番号データとを比較することによってデータの整合性を判断する構成としていた。
これに対し、変形例のＩＣデータ確認処理は、プリント管理テーブル２４の「Ｒ／Ｗ装置」のステージ項目にて管理されるバッファ番号をキーとしてバッファテーブル２２からＩＤ番号データを抽出し、このＩＤ番号データをＩＣデータ確認用バッファメモリ２５に記憶する構成を採用する。データの比較時には、ＩＣデータ確認用バッファメモリ２５からバファテーブル２２から抽出したＩＤ番号データを読出し、その後ＥＥＰＲＯＭ３８から読み出したＩＤ番号データとの比較を行うこととなる。
【０１０３】
図１１に、変形例におけるＩＤカード作成装置１のＩＣデータ確認処理の処理手順を示す。なお、以下の処理は制御部４のＣＰＵ１７によって処理が行われる。
【０１０４】
Ｋ色画像形成ユニット１４でのＩＤ番号４４及び文字情報４３の印画処理を終了し、搬送ベルト８によりＩＤカード１００がＲ／Ｗユニット３に搬送されると、ＣＰＵ１７は、「処理対象及びデータ確認処理」を行う（ステップＳ４０１）。その後、ＣＰＵ１７は、バッファテーブルに基づいて、ＩＤカード１００に書き込むＩＤ番号データ及び文字データをＲ／Ｗ装置１５に送信する（ステップＳ４０２）。
【０１０５】
このときＣＰＵ１７は、このＩＤ番号データをＩＣデータ確認用バッファメモリにも送信し記憶させる（ステップＳ４０３）。
【０１０６】
ＩＤカード１００のＥＥＰＲＯＭ３８にＩＤ番号データ及び文字データの書込みを行った後、ＣＰＵ１７はＲ／Ｗ装置１５に対し、ＥＥＰＲＯＭ３８に書き込んだＩＤ情報データを読み出す指示信号を送信する（ステップＳ４０４）。
【０１０７】
ＩＤ番号データの読出し指示を受けたＲ／Ｗ装置１５では、この指示信号を発振器５０、ユニット側ＰＳＫ変調回路５１、正弦波発生回路５２、送信波側増幅回路５３及びユニット側アンテナコイル５７を介してＩＤカード１００に送信する（ステップＳ４０５）。
【０１０８】
ＩＤカード１００は、カード側アンテナコイル３０にて指示信号を受信する。その後、カード側フィルタ回路３１、カード側増幅回路３４及びＰＳＫ復調変調回路３３を介してデータ処理部３５に出力する。カード側ＣＰＵ３６は、供給された指示信号に従いＥＥＰＲＯＭ３８にアクセスし、格納されたＩＤ番号データを読出す。読み出されたＩＤ番号データをＰＳＫ復調変調回路３３等の各回路を介してカード側アンテナコイル３０から送信する（ステップＳ４０６）。
【０１０９】
ステップＳ４０６にてＲ／Ｗ装置１５に送信されたＩＤ番号データは、ユニット側アンテナコイル５７で受信される。受信した信号を受信波側増幅回路５４、ユニット側フィルタ回路５５、ユニット側ＰＳＫ復調回路５６を介してデジタイズされたＩＤ番号データに変換してＣＰＵ１７に出力する（ステップＳ４０７）。
【０１１０】
次いで、ＣＰＵ１７は、Ｒ／Ｗ装置１５からＩＤカード１００から出力されたＩＤ番号データを受信する。その後、記憶部５にアクセスしてステップＳ３０２にてＩＣデータ確認用バッファメモリ２５に記憶したＩＤ番号データを読み出す（ステップＳ４０８）。
【０１１１】
次いで、ステップＳ４０８にて取得したＩＤ番号データと、ＩＣデータ確認用バッファメモリ２５から読み出したＩＤ番号データとが一致するか否かの比較を行う（ステップＳ４０９）。
【０１１２】
データが一致する場合は（ステップＳ４１０：ＹＥＳ）、ＩＤカード１００のＥＥＰＲＯＭ３８に書き込まれた電子データの内容が券面に印画されたＩＤ番号及び文字情報と一致すると判断する。その後、ＩＤカードを完成品として排出し、ＩＤカード作成装置１のカード作成処理を継続する（ステップＳ４１１）。
【０１１３】
データが不一致である場合は（ステップＳ４１０：ＮＯ）、制御部４にカード作成処理を中止する信号を出力しＩＤカード作成装置１の作成処理を一時中断する（ステップＳ４１２）。
【０１１４】
その後、表示部２０にＩＤカード１００に印画された画像の内容とＥＥＰＲＯＭ３８に格納した電子データの内容が異なる旨の警告表示を行う指示信号を出力し、表示部２０に警告映像を表示させる。更に、音声出力部２１に警告音を発生させる指示信号を出力し音声出力部２１から警告音を出力させる（ステップＳ４１３）。
【０１１５】
オペレータの確認検査等により、ＩＤカード内のＩＤ番号データとバッファテーブルのＩＤ番号データとが異なるＩＤカードが除去され、各官吏テーブルの管理データの整合が調節された後、データ入力部１９を介してリスタート信号の送信を受けると、ＩＤカード作成処理を再開する（ステップＳ４１４）。
【０１１６】
ステップＳ４１１にてＩＤカード１００を排出した後、あるいはステップＳ４１４にてリスタートを受信した後、ＣＰＵ１７はバッファテーブル２２のバッファ番号「Ｎｏ.１」で管理するＩＤ番号データ「Ｎｏ.０００１」、顔画像データ「Ｎｏ.０００１」及び文字データ「Ｎｏ.０００１」を消去し、新たにバッファ番号「Ｎｏ.１」にＩＤ番号データ「Ｎｏ.０００７」、ＩＤ番号「Ｎｏ.０００７」及び文字データ「Ｎｏ.０００７」を対応付けて記憶し、カード作成来歴管理テーブル２３にて、カード番号「＃７」とＩＤ番号データ（「Ｎｏ.０００７」）とを対応付けて追加記憶し、プリント管理テーブル２４にて、ホッパのステージにカード番号「＃７」とバッファ番号「Ｎｏ.１」とを対応付けて記憶する更新処理を行う（ステップＳ４１５）。
【０１１７】
以上の様に、変形例におけるＩＤカード作成装置１によれば、ＩＤカード１００に所定のデータを書き込む際、この所定データの複製データをＩＣデータ確認用バッファメモリ２５に記憶し、ＩＤカード１００にＩＤ番号データ及び文字データを書き込んだ後に、この書き込んだデータを読み出してＩＣデータ確認用バッファメモリに記憶した複製データと比較することができる。即ち、ＩＤカード１００から直接データを読み出して比較するため、ＩＤカード１００のＥＥＰＲＯＭ３８に書き込んだデータがＩＤカードの券面に印画された画像データの内容と一致するか否かを確認することができる。このため、ＩＤカード１００の作成処理を行う途中で、画像データ等とＩＤカード１００がずれてしまい、券面に印画された画像の内容とＥＥＰＲＯＭ３８に書き込まれたデータとが一致しない場合等が生じても、書込みエラーを検出して印画された画像と書き込まれたデータの整合性が担保されたＩＤカード１００を作成することができる。特に、ＩＤカード１００に印画された画像は、人間の視覚により確認することができるため比較的エラーが発見されやすいが、ＥＥＰＲＯＭ３８に書き込まれた電子データのエラーは人間の五感等で直接感知することができない。そのため、書込み動作自体にエラーがある場合であっても、書込み動作によるエラーを発見することができるという効果がある。
【０１１８】
以上、本発明を適用したＩＤカード作成装置１について説明したが、本発明は上記種々の例に限定されるものではない。
特に、本実施の形態では、「ＩＣデータ確認処理」において、ＩＤカード１００のＥＥＰＲＯＭ３８から読み出すデータとして「ＩＤ番号データ」を適用したが、これに加えて氏名や発行日等の「文字データ」をも読み出して券面の内容と一致するか否かを判断する構成としてもよい。これにより、ＥＥＰＲＯＭ３８に書き込まれた全てのデータが正確に書き込まれたかを検出することができるという効果もある。
【図面の簡単な説明】
【０１１９】
【図１】本発明を実施するための最良の形態におけるＩＤカード作成装置の全体構成を示した概要図である。
【図２】本発明を実施するための最良の形態におけるＲ／Ｗ装置の概要構成を示したブロック図である。
【図３】図３（ａ）は、本発明を実施するための最良の形態におけるＩＤカードの一例を示した模式図である。図３（ｂ）は、本発明を実施するための最良の形態におけるＩＤカードの内部構成を示したブロック図である。
【図４】本発明を実施するための最良の形態におけるカード作成来歴管理テーブルの管理の構成を示した模式図である。
【図５】本発明を実施するための最良の形態におけるバッファテーブルの管理の構成を示した模式図である。
【図６】本発明を実施するための最良の形態におけるプリント管理テーブルとカード作成来歴管理テーブル及びバッファテーブルとの対応関係を示した模式図である。
【図７】本発明を実施するための最良の形態における「処理対象及びデータ確認処理」の手順を示したフロー図である。
【図８】本発明を実施するための最良の形態における「ＩＣデータ確認処理」の手順を示したフロー図である。
【図９】本発明を実施するための最良の形態におけるＩＤカード作成装置の動作を示したフロー図である。
【図１０】本発明を実施するための最良の形態におけるＩＤカード作成装置の動作を示したフロー図である。
【図１１】本発明を実施するための最良の形態における「ＩＣデータ確認処理」の変形例の手順を示したフロー図である。
【符号の説明】
【０１２０】
１  ＩＤカード作成装置
２  画像形成ユニット
３  Ｒ／Ｗユニット
４  制御部
５  記憶部
８  搬送ベルト
９  ホッパ
１０  Ｙ（イエロー）画像形成ユニット
１１  Ｍ（マゼンタ）画像形成ユニット
１２  Ｃ（シアン）画像形成ユニット
１３  Ｋ（ブラック）画像形成ユニット
１５  Ｒ／Ｗ装置
１７  ＣＰＵ
１８  ＲＡＭ
１９  データ入力部
２０  表示部
２１  音声出力部
２２  バッファテーブル
２３  カード作成来歴管理テーブル
２４  プリント管理テーブル
２５  ＩＣデータ確認用バッファメモリ
３０  カード側アンテナコイル
３１  カード側フィルタ回路
３２  クロック回路
３３  ＰＳＫ復調変調回路
３４  カード側増幅回路
３５  データ処理部
３６  カード側ＣＰＵ
３７  カード側ＲＡＭ
３８  ＥＥＰＲＯＭ
４０  氏名
４１  発効日
４３  文字情報
４４  ＩＤ番号
４５  顔画像
５０  発振器
５１  ユニット側ＰＳＫ変調回路
５２  正弦波発生回路
５３  送信波側増幅回路
５４  受信波側増幅回路
５５  ユニット側フィルタ回路
５６  ユニット側側ＰＳＫ復調回路
５７  ユニット側アンテナコイル
１００  ＩＤカード
【図１】
2007038534.tif 000003
【図２】
2007038534.tif 000004
【図３】
2007038534.tif 000005
【図４】
2007038534.tif 000006
【図５】
2007038534.tif 000007
【図６】
2007038534.tif 000008
【図７】
2007038534.tif 000009
【図８】
2007038534.tif 000010
【図９】
2007038534.tif 000011
【図１０】
2007038534.tif 000012
【図１１】
2007038534.tif 000013